(57)【要約】【課題】  視認性に優れた表示装置を提供すること。【解決手段】  コントロールパネル１０にスリット１１と表示窓１２とを開設し、このスリット１１から突出する摘み１６ａをスライド操作して温度設定用の操作レバー１６を操作すると共に、例えば青色の第１表示板１８と赤色の第２表示板１９を操作レバー１６に固定する。第１表示板１８と第２表示板１９は表示窓１２よりも幾分大きめに形成されると共に、表示窓１２内でが互いに反対方向へ直線的に延出しており、操作レバー１６のスライド操作に伴って表示窓１２の全体に占める第１表示板１８と第２表示板１９の割合が変化するように構成した。【選択図】  図１
2005345991.tif 000002
【特許請求の範囲】
【請求項１】
表示窓を有するパネル部材と、前記表示窓に沿って移動可能な操作体と、前記表示窓内に配置された第１表示部および第２表示部とを備え、前記第１および第２表示部の少なくとも一方を前記操作体に固定し、該操作体の移動に伴って前記表示窓に占める前記第１表示部と第２表示部の割合が変化するように構成したことを特徴とする表示装置。
【請求項２】
請求項１の記載において、前記第１表示部と前記第２表示部を前記操作体に固定すると共に、これら第１および第２表示部を前記表示窓に沿って互いに反対方向へ延出させたことを特徴とする表示装置。
【請求項３】
請求項１の記載において、前記第１表示部を前記操作体に固定すると共に、前記第２表示部を前記パネル部材側に固定し、これら第１表示部と第２表示部を前記表示窓内で平面的にオーバーラップさせたことを特徴とする表示装置。
【請求項４】
請求項１〜３のいずれか１項の記載において、前記第１の表示部と前記第２の表示部が互いに異なる色で形成されていることを特徴とする表示装置。
【発明の詳細な説明】
【技術分野】
【０００１】
本発明は、回転またはスライド移動可能な操作体の操作位置を表示する表示装置に係り、特に、車載用エアコンシステムのコントロールパネルに適用して好適な表示装置に関するものである。
【背景技術】
【０００２】
従来より、車載用エアコンシステムのコントロールパネルに操作レバーを往復移動可能に配置すると共に、コントロールパネルに操作体の移動範囲に亘って帯状の表示部を設け、これら操作レバーと表示部の相対位置を目視することにより、搭乗者に操作体の操作位置を認識させるようにした表示装置が知られている（例えば、特許文献１参照）。
【０００３】
かかる従来の表示装置を図８に基づいて説明すると、同図に示すように、コントロールパネルにはスリット１が開設されており、このスリット１内に温度設定用の操作レバー２が往復移動可能に配設されている。操作レバー２の摘みにはポジショナーと呼ばれる指針部２ａが設けられており、この指針部２ａは電源供給によって照光可能なチップＬＥＤからなる。コントロールパネルにはスリット１に沿って平行に延びる表示部３が配置されており、この表示部３は例えば青色の第１表示部３ａと赤色の第２表示部３ｂを組み合わせて形成したものである。第１表示部３ａと第２表示部３ｂは長方形を対角線で２等分した三角形状をなし、第１表示部３ａは図示右端から左端に向かって細くなり、その反対に第２表示部３ｂは図示左端から右端に向かって細くなっている。したがって、操作レバー２をスリット１に沿って左右方向へスライド操作すると、操作レバー２に設けられた指針部２ａが表示部３の長手方向に沿って移動し、例えば操作レバー２を図示右方へスライド操作したとき、指針部２ａが赤色の第２表示部３ｂの幅広部分の真下に位置することを目視することにより、搭乗者はエアコンが高温側に温度設定されていることを認識できる。
【特許文献１】実開昭５７−９１６１２号公報（第２−３頁、第１図）
【発明の開示】
【発明が解決しようとする課題】
【０００４】
前述した従来の表示装置では、操作レバー２をスリット１に沿ってスライド操作すると、操作レバー２の指針部２ａが表示部３の長手方向に沿って移動するため、表示部３の全長に対して指針部２ａがどの位の位置にあるのかを目視することにより、搭乗者は操作レバー２によって設定された概略の調整温度を認識することができる。しかしながら、表示部３の全長に対して指針部２ａが非常に小さいため、指針部２ａの位置を一目で確認するのが難しくなり、特に、夜間等の暗所で指針部２ａを照光させるタイプの場合、指針部２ａの輝度低下によって視認性が極端に悪くなるという問題があった。
【０００５】
本発明は、このような従来技術の実情に鑑みてなされたもので、その目的は、視認性に優れた表示装置を提供することにある。
【課題を解決するための手段】
【０００６】
上記の目的を達成するために、本発明の表示装置は、表示窓を有するパネル部材と、前記表示窓に沿って移動可能な操作体と、前記表示窓内に配置された第１表示部および第２表示部とを備え、前記第１および第２表示部の少なくとも一方を前記操作体に固定し、該操作体の移動に伴って前記表示窓に占める前記第１表示部と第２表示部の割合が変化するように構成した。
【０００７】
このように構成された表示装置では、パネル部材に開設された表示窓に沿って操作体を回転またはスライド移動すると、それに伴って表示窓に占める第１表示部と第２表示部の割合が変化するため、搭乗者は操作体の操作位置を一目で正確に認識することができる。
【０００８】
ここで、第１および第２表示部の少なくとも一方は操作体に固定されている必要があり、例えば、第１表示部と第２表示部の両方を操作体に固定した場合、これら第１および第２表示部を表示窓に沿って互いに反対方向へ延出させれば良い。また、第１表示部を操作体に固定すると共に、第２表示部をパネル部材側に固定した場合、これら第１表示部と第２表示部を表示窓内で平面的にオーバーラップさせれば良い。
【０００９】
上記の構成において、第１の表示部と第２の表示部は目視によって区別できるものであれば、例えば濃淡を違えた同系色で形成しても良いが、これら第１の表示部と第２の表示部が互いに異なる色で形成されていることが好ましい。
【発明の効果】
【００１０】
本発明の表示装置は、表示窓内に第１表示部および第２表示部を配置すると共に、これら第１および第２表示部の少なくとも一方を操作体に固定し、該操作体の移動に伴って表示窓に占める第１表示部と第２表示部の割合が変化するように構成したので、搭乗者は操作体の操作位置を一目で正確に認識することができて視認性が向上する。
【発明を実施するための最良の形態】
【００１１】
発明の実施の形態について図面を参照して説明すると、図１は本発明の第１実施形態例に係る表示装置の正面図、図２は該表示装置の断面図、図３は該表示装置の動作説明図である。
【００１２】
これらの図において、符号１０は車載用エアコンシステムのコントロールパネルを示し、このコントロールパネル１０には水平方向に延びるスリット１１と表示窓１２が互いに近接した状態で開設されている。コントロールパネル１０の内部にはプリント基板１３が配置されており、このプリント基板１３上には温度設定用のスライド型可変抵抗器１４や光源としてのランプ１５が実装されている。可変抵抗器１４には操作体である操作レバー１６が連結されており、この操作レバー１６の摘み１６ａはスリット１１を挿通してコントロールパネル１０の外部に突出している。したがって、搭乗者が摘み１６ａをスリット１１に沿って図１の左右方向へスライド操作すると、それに伴って可変抵抗器１４から出力される抵抗値が変化してエアコンの設定温度を調整することができるようになっている。なお、摘み１６ａにはチップＬＥＤからなる指針部１６ｂが設けられており、該チップＬＥＤは可変抵抗器１４内に設けられた給電回路（図示せず）から給電され、これら指針部１６ｂと前記ランプ１５は例えばヘッドライトの点灯用スイッチ（図示せず）の入力操作に連動して照光される。
【００１３】
表示窓１２は無色透明または有色透明な透明カバー１７によって塞がれており、この透明カバー１７の真下にランプ１５が配置されると共に、これら透明カバー１７とランプ１５との間に第１表示板１８と第２表示板１９が配置されている。第１表示板１８は例えば青色を呈する透明シート体からなり、この第１表示板１８は表示窓１２よりも幾分大きめに形成されている。第２表示板１９は例えば赤色を呈する透明シート体からなり、この第２表示板１９も表示窓１２よりも幾分大きめに形成されている。第１表示板１８と第２表示板１９は直線的に連続するように端面同士を透明接着剤で貼り合わせ、その側部を操作レバー１６に接着等の方法によって固定されており、表示窓１２内で第１表示板１８と第２表示板１９が互いに反対方向へ延出するようになっている。
【００１４】
このように構成された表示装置において、図１に示すように、操作レバー１６の摘み１６ａがスリット１１の中央位置に操作されているとき、第１表示板１８と第２表示板１９の境界線は表示窓１２の中央にあり、表示窓１２の全体に占める第１表示板１８と第２表示板１９の割合はほぼ同じとなる。したがって、透明カバー１７を通して第１表示板１８と第２表示板１９の割合を目視することにより、搭乗者はエアコンが低温と高温の間に温度設定されていることを認識できる。一方、図３（ａ）に示すように、操作レバー１６の摘み１６ａをスリット１１の左端側にスライド操作すると、第１表示板１８と第２表示板１９の境界線が表示窓１２の左端側に移動し、第２表示板１９が表示窓１２の全体をほとんど占めることにより、搭乗者はエアコンが低温側に温度設定されたことを認識できる。これとは逆に、図３（ｂ）に示すように、操作レバー１６の摘み１６ａをスリット１１の右端側にスライド操作すると、第１表示板１８と第２表示板１９の境界線が表示窓１２の右端側に移動し、第１表示板１８が表示窓１２の全体をほとんど占めることにより、搭乗者はエアコンが高温側に温度設定されたことを認識できる。なお、図示せぬ点灯用スイッチの入力操作によってランプ１５と指針部１６ｂが点灯されると、第１表示板１８と第２表示板１９がランプ１５の光によって照光されると共に、第１表示板１８と第２表示板１９の境界線に位置する指針部１６ｂが照光されるため、夜間等の暗所においても表示窓１２の全体に占める第１表示板１８と第２表示板１９を容易に視認することができる。
【００１５】
図４は本発明の第２実施形態例に係る表示装置の正面図、図５は該表示装置の動作説明図であり、図１〜図３に対応する部分には同一符号を付してある。
【００１６】
本実施形態例が前述した第１実施形態例と相違するのは、操作レバー１６に第１表示板１８のみを固定すると共に、第２表示板１９をコントロールパネル１０の内面またはプリント基板１３に固定し、これら第１表示板１８と第２表示板１９を表示窓１２内で平面的にオーバーラップさせたことにあり、それ以外の構成は基本的に同じである。すなわち、第１表示板１８は操作レバー１６のスライド操作に伴って表示窓１２の長手方向に沿って移動するが、第２表示板１９は操作レバー１６の操作位置に拘わらず表示窓１２の全表示面に対して常時対向する位置に固定されている。
【００１７】
このように構成された表示装置において、図４に示すように、操作レバー１６の摘み１６ａがスリット１１の中央位置に操作されているとき、第１表示板１８は第２表示板１９の中央から左側にオーバーラップしており、表示窓１２の全体に占める第１表示板１８と第２表示板１９の割合はほぼ同じとなる。したがって、透明カバー１７を通して第１表示板１８と第２表示板１９がほぼ同じ割合で目視されるため、搭乗者はエアコンが低温と高温の間に温度設定されていることを認識できる。一方、図５（ａ）に示すように、操作レバー１６の摘み１６ａをスリット１１の左端側にスライド操作すると、第１表示板１８が表示窓１２の左端側に移動して第２表示板１９の露出量が増加するため、第２表示板１９が表示窓１２の全体をほとんど占めることにより、搭乗者はエアコンが低温側に温度設定されたことを認識できる。これとは逆に、図５（ｂ）に示すように、操作レバー１６の摘み１６ａをスリット１１の右端側にスライド操作すると、第１表示板１８が表示窓１２の右端側に移動して第２表示板１９の露出量が減少するため、第１表示板１８が表示窓１２の全体をほとんど占めることにより、搭乗者はエアコンが高温側に温度設定されたことを認識できる。
【００１８】
なお、この第２実施形態例において、オーバーラップする部分の色は照光部材によって照光されて青色と赤色を混合した色調となるが、第２表示板１９と透明カバー１７との間に第１表示板１８を配置し、該第１表示板１８を青色の遮光部材で形成すれば、オーバーラップ部分の色を混合色とせずに第１表示板１８の青色とすることができる。あるいは、第１表示板１８を遮光部材で形成し、該第１表示板１８と透明カバー１７との間に第２表示板１９を配置しても良い。
【００１９】
図６は本発明の第３実施形態例に係る表示装置の正面図、図７は該表示装置の断面図であり、図１〜図３に対応する部分には同一符号を付してある。
【００２０】
本実施形態例が前述した第１実施形態例と相違するのは、操作体として回転可能な回転リング２０を用いると共に、第１および第２表示板１８，１９を臨む表示窓２１を回転リング２０の外側に円弧状に形成したことにあり、それ以外の構成は基本的に同じである。すなわち、回転リング２０はコントロールパネル１０に開設された円形孔２２から突出しており、その上面外縁にはチップＬＥＤ等からなる指針部２０ａが設けられている。回転リング２０の裏面中央には温度設定用のロータリ型可変抵抗器２３が連結されており、この可変抵抗器２３はコントロールパネル１０の内部に配設されたプリント基板１３上に実装されている。また、第１表示板１８と第２表示板１９は表示窓２１よりも幾分大きめに形成されており、これら第１および第２表示板１８，１９は回転リング２０に固定されて表示窓２１内で互いに反対方向へ延出している。
【００２１】
このように構成された表示装置において、図６に示すように、回転リング２０の指針部２０ａが表示窓２１の周方向中央を向いているとき、第１表示板１８と第２表示板１９の境界線は表示窓２１の中央にあり、表示窓２１の全体に占める第１表示板１８と第２表示板１９の割合はほぼ同じとなる。したがって、透明カバー１７を通して目視される第１表示板１８と第２表示板１９の割合はほぼ同じとなり、搭乗者はエアコンが低温と高温の間に温度設定されていることを認識できる。一方、回転リング２０を図６の反時計回り方向へ回転操作すると、第１表示板１８と第２表示板１９の境界線が表示窓２１の左端側に移動し、第２表示板１９が表示窓１２の全体をほとんど占めることにより、搭乗者はエアコンが低温側に温度設定されたことを認識できる。これとは逆に、回転リング２０を図６の時計回り方向へ回転操作すると、第１表示板１８と第２表示板１９の境界線が表示窓２１の右端側に移動し、第１表示板１８が表示窓２１の全体をほとんど占めることにより、搭乗者はエアコンが高温側に温度設定されたことを認識できる。
【００２２】
なお、上記した第３実施形態例においても、回転リング２０に第１表示板１８のみを固定すると共に、第２表示板１９をコントロールパネル１０の内面またはプリント基板１３に固定し、これら第１表示板１８と第２表示板１９を表示窓２１内で平面的にオーバーラップさせることが可能である。
【図面の簡単な説明】
【００２３】
【図１】本発明の第１実施形態例に係る表示装置の正面図である。
【図２】該表示装置の断面図である。
【図３】該表示装置の動作説明図である。
【図４】本発明の第２実施形態例に係る表示装置の正面図である。
【図５】該表示装置の動作説明図である。
【図６】本発明の第３実施形態例に係る表示装置の正面図である。
【図７】該表示装置の断面図である。
【図８】従来例に係る表示装置の正面図である。
【符号の説明】
【００２４】
１０  コントロールパネル（パネル部材）
１１  スリット
１２，２１  表示窓
１６  操作レバー（操作体）
１６ａ  操作レバー
１６ｂ  指針部
１８  第１表示板（第１表示部）
１９  第２表示板（第２表示部）
２０  回転リング
２０ａ  指針部
２２  円形孔
【図１】
2005345991.tif 000003
【図２】
2005345991.tif 000004
【図３】
2005345991.tif 000005
【図４】
2005345991.tif 000006
【図５】
2005345991.tif 000007
【図６】
2005345991.tif 000008
【図７】
2005345991.tif 000009
【図８】
2005345991.tif 000010